(57)【要約】【課題】既存の蛇口を利用することにより汎用性を良好なものとしながら、原水、あるいは浄水の散水範囲を拡大させることができる浄水器を提供すること。【解決手段】蛇口１に取付ユニット１０を介して取り付けられ、蛇口１より供給された原水をそのまま原水吐出口２４２より吐出、あるいは蛇口１より供給された原水を濾過して浄水吐出口２５１より浄水として吐出する浄水器において、原水吐出口２４２及び浄水吐出口２５１を有し、かつ取付ユニット１０とホースＨにより連結されるとともに該取付ユニット１０と着脱可能に配設され、該取付ユニット１０と離脱した状態であっても蛇口１より供給された原水を原水として、あるいは浄水として吐出可能な本体ユニット２０を備えたものである。【選択図】図３
2011167636.tif 000002
【特許請求の範囲】
【請求項１】
蛇口に取付ユニットを介して取り付けられ、前記蛇口より供給された原水をそのまま原水吐出口より吐出、あるいは前記蛇口より供給された原水を濾過して浄水吐出口より浄水として吐出する浄水器において、
前記原水吐出口及び前記浄水吐出口を有し、かつ前記取付ユニットとホースにより連結されるとともに該取付ユニットと着脱可能に配設され、該取付ユニットと離脱した状態であっても前記蛇口より供給された原水を原水として、あるいは浄水として吐出可能な本体ユニットを備えたことを特徴とする浄水器。
【請求項２】
前記本体ユニットは、係合手段を介して前記取付ユニットに係合されてなり、
前記係合手段は、常態においては前記本体ユニットを前記取付ユニットに係合させて前記原水吐出口からの原水の吐出、あるいは前記浄水吐出口からの浄水の吐出を許容する一方、必要に応じて前記本体ユニットが前記取付ユニットから離脱した状態で前記原水吐出口からの原水の吐出、あるいは前記浄水吐出口からの浄水の吐出を許容することを特徴とする請求項１に記載の浄水器。
【請求項３】
前記本体ユニットは、前記蛇口からの原水を前記原水吐出口より原水として吐出すること、並びに前記蛇口からの原水を濾過して前記浄水吐出口より浄水として吐出することのいずれか一方に切り替える切換機構を備えたことを特徴とする請求項１又は請求項２に記載の浄水器。
【発明の詳細な説明】
【技術分野】
【０００１】
本発明、浄水器に関し、より詳細には、蛇口に取付ユニットを介して取り付けられてなり、蛇口より供給された原水をそのまま原水吐出口より吐出、あるいは蛇口より供給された原水を濾過して浄水吐出口より浄水として吐出する浄水器に関するものである。
【背景技術】
【０００２】
従来、蛇口より供給された原水をそのまま原水吐出口より吐出、あるいは該蛇口より供給された原水を濾過して浄水吐出口より浄水として吐出する浄水器としては、自身の取付ユニットを介して該蛇口に取り付けられた蛇口直結型浄水器が知られている。
【０００３】
かかる蛇口直結型浄水器では、原水吐出口及び浄水吐出口の可動範囲は、蛇口の可動範囲により決められることになり、該蛇口が設置されたキッチンにおけるシンクの隅々まで散水することは困難であった。
【０００４】
そこで、シャワーヘッドの形態をなした蛇口が水栓本体から離脱可能に配設され、該蛇口から原水、あるいは必要に応じて浄水を吐出できる浄水器内蔵水栓が提案されている（例えば、特許文献１参照）。
【先行技術文献】
【特許文献】
【０００５】
【特許文献１】特開２００３−１８４１４６号公報
【発明の概要】
【発明が解決しようとする課題】
【０００６】
ところが、上述した特許文献１に提案されているような浄水器内蔵水栓では、散水範囲を拡大させることができるものの、既存の蛇口を使用することができずに新たな蛇口等を購入する必要があり汎用性に優れたものとはいえない。
【０００７】
本発明は、上記実情に鑑みて、既存の蛇口を利用することにより汎用性を良好なものとしながら、原水、あるいは浄水の散水範囲を拡大させることができる浄水器を提供することを目的とする。
【課題を解決するための手段】
【０００８】
上記目的を達成するために、本発明の請求項１に係る浄水器は、蛇口に取付ユニットを介して取り付けられ、前記蛇口より供給された原水をそのまま原水吐出口より吐出、あるいは前記蛇口より供給された原水を濾過して浄水吐出口より浄水として吐出する浄水器において、前記原水吐出口及び前記浄水吐出口を有し、かつ前記取付ユニットとホースにより連結されるとともに該取付ユニットと着脱可能に配設され、該取付ユニットと離脱した状態であっても前記蛇口より供給された原水を原水として、あるいは浄水として吐出可能な本体ユニットを備えたことを特徴とする。
【０００９】
また、本発明の請求項２に係る浄水器は、上述した請求項１において、前記本体ユニットは、係合手段を介して前記取付ユニットに係合されてなり、前記係合手段は、常態においては前記本体ユニットを前記取付ユニットに係合させて前記原水吐出口からの原水の吐出、あるいは前記浄水吐出口からの浄水の吐出を許容する一方、必要に応じて前記本体ユニットが前記取付ユニットから離脱した状態で前記原水吐出口からの原水の吐出、あるいは前記浄水吐出口からの浄水の吐出を許容することを特徴とする。
【００１０】
また、本発明の請求項３に係る浄水器は、上述した請求項１又は請求項２において、前記本体ユニットは、前記蛇口からの原水を前記原水吐出口より原水として吐出すること、並びに前記蛇口からの原水を濾過して前記浄水吐出口より浄水として吐出することのいずれか一方に切り替える切換機構を備えたことを特徴とする。
【発明の効果】
【００１１】
本発明によれば、原水吐出口及び浄水吐出口を有する本体ユニットが、取付ユニットとホースにより連結されるとともに該取付ユニットと着脱可能に配設され、該取付ユニットと離脱した状態であっても蛇口より供給された原水を原水として、あるいは浄水として吐出可能であるため、原水及び浄水の散水範囲を蛇口の可動範囲に決められることなく、拡大させることができる。また、取付ユニットを介して蛇口に取り付ける構造のために、既存の蛇口に対して適用可能であり、従来例のように新たな蛇口等を購入する必要もなく、汎用性に優れたものである。従って、既存の蛇口を利用することにより汎用性を良好なものとしながら、原水、あるいは浄水の散水範囲を拡大させることができるという効果を奏する。
【図面の簡単な説明】
【００１２】
【図１】図１は、本発明の実施の形態である浄水器を示す正面図である。
【図２】図２は、本発明の実施の形態である浄水器の内部構造を破線で示した正面図である。
【図３】図３は、本発明の実施の形態である浄水器の内部構造を分解して示す分解正面図である。
【図４】図４は、図３に示した取付ユニットを構成するベースを示すものであり、（ａ）は正面図であり、（ｂ）は底面図である。
【図５】図５は、図３に示した本体ユニットを構成する収納ケースを示すものであり、（ａ）は平面図であり、（ｂ）は正面図である。
【図６】図６は、本発明の実施の形態である浄水器を示す正面図である。
【図７】図７は、本発明の実施の形態である浄水器の内部構造を破線で示した正面図である。
【発明を実施するための形態】
【００１３】
以下に添付図面を参照して、本発明に係る浄水器の好適な実施の形態について詳細に説明する。
【００１４】
図１〜図３は、それぞれ本発明の実施の形態である浄水器を示すものであり、図１は、正面図、図２は、内部構造を破線で示した正面図、図３は、内部構造を分解して示す分解正面図である。ここで例示する浄水器は、蛇口１に取り付けられたもので、取付ユニット１０及び本体ユニット２０を備えて構成してある。
【００１５】
取付ユニット１０は、浄水器自身を蛇口１の先端部に取り付けるためのもので、ベース１１を備えている。ベース１１は、図４にも示すように、内部に蛇口１より供給された原水の流路となる中空構造が形成してあるとともに、上部１１１に雄ネジ部１１１ａ、下部１１２に係合突起爪１１２ａが設けてある。このようなベース１１は、下部１１２の開口１１３（図４の（ｂ）参照）からホースＨの上端部の進入を許容し、上部１１１側から進入させた蛇口側ホース留具１２により該ホースＨの上端部を固定支持させるものである。ここで、ホースＨは、可撓性材料から構成されている。
【００１６】
蛇口側ホース留具１２は、内部が中空構造となっており、その凸部１２１がホースＨの上端側内部に進入してホースＨの内径を拡径させ、該凸部１２１の外表面とホースＨの上端部の内表面とを密着させるとともに、該ホースＨの上端部の外表面をベース１１の所定部位に密着させて水密性を確保した状態でホースＨの上端部をベース１１に固定支持している。尚、図３中の符号１１４は、蛇口側ホース留具用のシール材である。
【００１７】
ベース１１の雄ネジ部１１１ａは、取付ナット１３の内部に形成された雌ネジ部１３１に螺合するものである。取付ナット１３は、蛇口１の先端部に嵌合するアダプター１４を介して蛇口１の先端部に配設され、該アダプター１４の凹部１４１に適合する凸部１５１を有する蛇口側シール材１５を介在させて、自身と雌ネジ部１３１がベース１１の雄ネジ部１１１ａと螺合して該ベース１１と結合されるものである。これにより、蛇口１から供給された原水は、アダプター１４、蛇口側シール材１５、蛇口側ホース留具１２の中空部を通過してホースＨに進入することになる。
【００１８】
ベース１１の係合突起爪１１２ａは、図４の（ｂ）に示すように、ベース１１の円筒状の形態をなす下部１１２の周面から径外方向に向けて突出したものであり、ベース１１の開口１１３の中心に対して対称に設けてある。
【００１９】
本体ユニット２０は、収納ケース２１と、本体部２４と、カートリッジ部２５とを備えて構成してある。
【００２０】
収納ケース２１は、円筒状の収納部２１１と、収納部２１１より小径の円筒状の本体結合部２１２とが連設して構成してある。収納部２１１は、図５の（ａ）にも示すように、その内部がホースＨを巻回した状態で収納するのに十分な容積を有しており、その上端部の所定個所には、内方に向けて突出する係合突起片２１１ａが形成してある。この収納ケース２１の収納部２１１は、上述したベース１１の下部１１２といわゆるバヨネット方式により係合するものである。つまり、ベース１１の下部１１２に形成された係合突起爪１１２ａが係合突起片２１１ａに重ならない状態で該ベース１１の下部１１２を収納部２１１の内部に相対的に進入させ、その後に収納部２１１をベース１１に対して相対的に約９０°回転させることにより、収納ケース２１がベース１１から離隔する方向に変位しても係合突起爪１１２ａと係合突起片２１１ａとが当接して収納部２１１がベース１１の下部１１２から離脱することを規制した状態で係合している（図１及び図２参照）。
【００２１】
そして、収納ケース２１をベース１１に対して相対的に約９０°回転させることにより、係合突起爪１１２ａと係合突起片２１１ａとが重ならない状態にし、収納ケース２１をベース１１から離隔する方向に変位させることにより、収納ケース２１をベース１１から離脱させることが可能になる。
【００２２】
本体結合部２１２は、貫通孔２１３を介して収納部２１１と連通しており、その内部に雌ネジ部２１２ａが形成してある。この本体結合部２１２は、本体側シール材２２及び本体側ホース留具２３を介在させた状態で本体部２４の上部２４１に設けられた雄ネジ部２４１ａと螺合して結合するものである。
【００２３】
このような収納ケース２１は、収納部２１１の上部開口から上記ホースＨの下端部の進入、並びに貫通孔２１３の貫通を許容し、本体結合部２１２の下部開口から進入させた本体側ホース留具２３により、同じく本体結合部２１２の下部開口から進入させた本体側シール材２２に該ホースＨの下端部を固定支持させるものである。
【００２４】
本体側ホース留具２３は、蛇口側ホース留具１２と同様に内部が中空構造となっており、その凸部２３１が、本体側シール材２２の中空部２２１に進入したホースＨの下端部内部に進入してホースＨの内径を拡径させ、該凸部１２１の外表面とホースＨの下端部の内表面とを密着させるとともに、該ホースＨの下端部の外表面を本体側シール材２２の所定部位に密着させて水密性を確保した状態でホースＨの下端部を、本体結合部２１２の内部に進入した本体側シール材２２に固定支持している。
【００２５】
そして、収納ケース２１は、本体結合部２１２が本体部２４の雄ネジ部２４１ａと螺合することにより本体部２４に結合している。つまり、本体結合部２１２の内部に本体側シール材２２及び本体側ホース留具２３が進入した状態で本体部２４に結合している。
【００２６】
本体部２４は、下部には原水吐出口２４２が形成してあるとともに、側部に図示せぬ原水供給口が形成してある。原水吐出口２４２は、蛇口１から供給された原水をそのまま原水として吐出する開口である。原水供給口は、蛇口１から供給された原水をカートリッジ部２５に供給する開口である。
【００２７】
このような本体部２４には、図には明示しないが、切換機構が内蔵してある。この切換機構の構造は従来公知な周知なものであるためにその詳細な説明は割愛するが、切換機構は、切替レバー２４３の操作に応じて、蛇口１から供給された原水を原水吐出口２４２より吐出させるか、原水供給口よりカートリッジ部２５に供給するかを切り替えるものである。
【００２８】
カートリッジ部２５は、原水供給口を通じて本体部２４の内部に連通した状態で、該本体部２４の側方に配設してある。このカートリッジ部２５の下部には、浄水吐出口２５１が形成してある。浄水吐出口２５１は、蛇口１から供給された原水を浄化された浄水として吐出する開口である。
【００２９】
このようなカートリッジ部２５の内部には、従来公知のように活性炭等の吸着剤や中空糸膜等の濾過材が配設してあり、原水供給口を通じて内部に供給された原水は、濾過材を通過して濾過されて浄化し、浄水として浄水吐出口２５１を通じて吐出される。
【００３０】
以上のような構成を有する本実施の形態における浄水器は、常態においては、収納ケース２１をベース１１に係合させた状態、すなわち収納ケース２１の収納部２１１の内部にホースＨを巻回した状態で収納させるとともにベース１１の下部１１２を進入させて係合突起爪１１２ａが係合突起片２１１ａに当接して離脱不可な状態にされ、次のようにして蛇口１から供給された原水を、原水として、あるいは浄水として吐出することができる。
【００３１】
切替レバー２４３が操作されて切換機構が原水吐出口２４２から原水を吐出する状態にされた場合、蛇口１から供給された原水を、アダプター１４及び蛇口側シール材１５の中空部を通過させた後、蛇口側ホース留具１２の中空部分を通過させてホースＨの内部に進入させ、該ホースＨを通過させた後に本体側ホース留具２３の中空部分を通過させて本体部２４の内部に進入させる。本体部２４の内部に進入させた原水を、切換機構の所定部位を通過させた後、原水吐出口２４２より原水として吐出することができる。
【００３２】
一方、切替レバー２４３が操作されて切換機構が原水供給口から原水を供給する状態にされた場合、蛇口１から供給された原水を、アダプター１４及び蛇口側シール材１５の中空部を通過させた後、蛇口側ホース留具１２の中空部分を通過させてホースＨの内部に進入させ、該ホースＨを通過させた後に本体側ホース留具２３の中空部分を通過させて本体部２４の内部に進入させる。本体部２４の内部に進入させた原水を、切換機構の所定部位を通過させた後、原水供給口よりカートリッジ部２５に供給させる。カートリッジ部２５に供給させた原水を濾過材に濾過させて浄化させ、浄水として浄水吐出口２５１より吐出することができる。
【００３３】
そして、必要に応じて収納ケース２１をベース１１に対して相対的に約９０°回転させることにより、係合突起爪１１２ａと係合突起片２１１ａとが重ならない状態にし、収納ケース２１をベース１１から離隔する方向に変位させることにより、図６及び図７に示すように、収納ケース２１をベース１１から離脱させることが可能になる。この場合、収納ケース２１の収納部２１１の内部に収納されていたホースＨは、収納ケース２１の離脱とともに、収納部２１１の上部開口より外部に繰り出されることになる。このように収納ケース２１をベース１１から離脱させた状態、すなわち本体ユニット２０を取付ユニット１０から離脱させた状態にしても、両者間はホースＨで連結されているために、蛇口１から供給された原水を、切替レバー２４３の操作に応じて原水吐出口２４２より原水として、あるいは浄水吐出口２５１より浄水として吐出することができる。
【００３４】
以上説明したように、本実施の形態である浄水器によれば、原水吐出口２４２及び浄水吐出口２５１を有する本体ユニット２０が、取付ユニット１０とホースＨにより連結されるとともに該取付ユニット１０と着脱可能に配設され、該取付ユニット１０と離脱した状態であっても蛇口１より供給された原水を原水として、あるいは浄水として吐出することができるため、原水及び浄水の散水範囲を蛇口１の可動範囲に決められることなく、拡大させることができる。また、取付ユニット１０を介して蛇口１に取り付ける構造のために、既存の蛇口に対して適用可能であり、従来例のように新たな蛇口等を購入する必要もなく、汎用性に優れたものである。従って、既存の蛇口１を利用することにより汎用性を良好なものとしながら、原水、あるいは浄水の散水範囲を拡大させることができる。
【００３５】
以上、本発明の好適な実施の形態について説明したが、本発明はこれに限定されるものではなく、種々の変更を行うことができる。すなわち、上述した実施の形態においては、取付ユニット１０を構成するベース１１と、本体ユニット２０を構成する収納ケース２１とを係合する係合手段の一例として係合突起爪１１２ａと、係合突起片２１１ａとからなるバヨネット方式のものを例示したが、本発明においてはかかるバヨネット方式に限られず、ベース１１と収納ケース２１との所定部位にそれぞれ磁石を配設して磁力により係合させるものであっても構わない。かかる構成によっても、既存の蛇口１を利用することにより汎用性を良好なものとしながら、原水、あるいは浄水の散水範囲を拡大させることができる。
【００３６】
また、上述した実施の形態である浄水器においては、原水吐出口２４２と浄水吐出口２５１とが配設してあったが、本発明においては、本体部２４の下部に原水吐出口以外に、原水をシャワー状に吐出する原水シャワー吐出口が設けてあっても構わない。
【産業上の利用可能性】
【００３７】
以上のように、本発明に係る浄水器は、取付ユニットを介して蛇口に取り付けられ、蛇口より供給された原水をそのまま原水吐出口より吐出、あるいは蛇口より供給された原水を濾過して浄水吐出口より浄水として吐出するのに有用である。
【符号の説明】
【００３８】
１  蛇口
１０  取付ユニット
１１  ベース
１１１  上部
１１１ａ  雄ネジ部
１１２  下部
１１２ａ  係合突起爪
１１３  開口
１１４  蛇口側ホース留具用シール材
１２  蛇口側ホース留具
１２１  凸部
１３  取付ナット
１３１  雌ネジ部
１４  アダプター
１４１  凹部
１５  蛇口側シール材
１５１  凸部
２０  本体ユニット
２１  収納ケース
２１１  収納部
２１１ａ  係合突起片
２１２  本体結合部
２１２ａ  雌ネジ部
２１３  貫通孔
２２  本体側シール材
２２１  中空部
２３  本体側ホース留具
２３１  凸部
２４  本体部
２４１  上部
２４１ａ  雄ネジ部
２４２  原水吐出口
２４３  切替レバー
２５  カートリッジ部
２５１  浄水吐出口
Ｈ  ホース
【図１】
2011167636.tif 000003
【図２】
2011167636.tif 000004
【図３】
2011167636.tif 000005
【図４】
2011167636.tif 000006
【図５】
2011167636.tif 000007
【図６】
2011167636.tif 000008
【図７】
2011167636.tif 000009